(57)【要約】      （修正有）【課題】鼻孔カニューラと接続されるチューブの基端側の部分を接続用スリーブによって、酸素供給源のコネクタと接続される場合における、接続用スリーブのコネクタからの抜去力の低減と、その安定化とを図った酸素供給装置を提供する。【解決手段】接続用スリーブ２０のチューブ挿入部３３とは反対側のコネクタ挿入部３４の内周面に、エンボス加工領域３５を形成し、この部分の内周面にエンボス加工から成る凹凸加工を施すとともに、この凹凸加工された内周面に潤滑剤を塗布する。【選択図】図４
0003157855.tif 000002
【実用新案登録請求の範囲】
【請求項１】
酸素を酸素供給源からチューブおよび鼻孔カニューラを介して鼻孔内に供給するようにした酸素供給装置において、
内周面に凹凸加工が施された接続用スリーブを介して前記チューブを前記酸素供給源に接続し、前記接続用スリーブの前記凹凸加工が施された部分を前記酸素供給源のコネクタに接続するようにしたことを特徴とする酸素供給装置。
【請求項２】
前記接続用スリーブの内周面の凹凸形成面の中心線平均粗さが２〜１００μｍの範囲のエンボス加工であることを特徴とする請求項１に記載の酸素供給装置。
【請求項３】
前記スリーブの内周面と前記コネクタの外周面との間に潤滑剤が介在することを特徴とする請求項１または２に記載の酸素供給装置。
【考案の詳細な説明】
【技術分野】
【０００１】
本考案は酸素供給装置に係り、とくに、酸素供給源からチューブおよび鼻孔カニューラを介して鼻孔内に酸素を供給するようにした酸素供給装置に関する。
【背景技術】
【０００２】
例えば実用新案登録第３１０７７８７号公報や、実用新案登録第３１０８５９９号公報に開示されているように、呼吸困難、あるいは低酸素症の患者に対する酸素療法あるいは呼吸療法のために、鼻孔カニューラが用いられる。鼻孔カニューラは、鼻の下の部位に左右の方向に沿うように顔面上に装着され、中間部に設けられている一対の突出部を鼻孔の入口部分に挿入し、酸素供給源からの酸素をチューブおよび上記突出部を通して鼻孔内に供給するものである。
【０００３】
このような鼻孔カニューラを用いる酸素供給装置は、その酸素供給用のチューブを酸素発生装置あるいは酸素ボンベに接続し、その接続部あるいは接続ユニットに設けられている調整ノブを開き、これによってチューブを介して上記鼻孔カニューラに酸素を供給しなければならない。ここで酸素発生装置あるいは酸素ボンベに対する酸素の供給は、必要に応じて行なわれるものであって、酸素の供給を必要としない場合には、接続部あるいは接続ユニットの調整ノブを閉じ、この後でチューブをコネクタから取外すことになる。すなわち酸素発生装置あるいは酸素ボンベのような酸素供給源に対するチューブの接続および取外しは、使用する患者の酸素を必要とする度合いに応じて行なわれ、頻々に行なわれたり、あるいはまた時々行なわれたりする。また患者が移動する場合には、酸素発生装置から外したチューブを移動用の酸素ボンベに接続する必要がある。すなわち酸素供給源に対するチューブの着脱は、容易かつ確実に行なわれなければならない。
【０００４】
一方で、チューブと酸素供給源との間の接続部に漏れを生ずると、酸素が漏れてしまう。とくに酸素ボンベの場合には、その中に充填されている酸素の量が一定量であるために、酸素が無駄に消費されないように、接続部のガス漏れに注意をしなければならない。
【０００５】
さらに鼻孔カニューラと接続されたチューブの先端側の接続用スリーブを、酸素発生装置あるいは酸素ボンベに設けられているコネクタに対して適度な力で接続し、あるいはまた取外しを行ない得るようにしなければならない。これは、患者自身が必要に応じて、上記の接続用スリーブを酸素供給源に対して接続したり取外したりしなければならない場合が多いからである。すなわち接続用スリーブと酸素供給源のコネクタとの間の接続の操作性を高めておく必要がある。しかし、接続用スリーブと酸素供給源のコネクタとの間の接続は、軽微な力で抜けるようなことがあってはならない。
【先行技術文献】
【特許文献】
【０００６】
【特許文献１】実用新案登録第３１０７７８７公報
【特許文献２】実用新案登録第３１０８５９９号公報
【考案の概要】
【考案が解決しようとする課題】
【０００７】
本願考案の課題は、鼻孔カニューラに対して酸素を供給するチューブと酸素供給源との接続の着脱が容易に行なわれ得るようにした酸素供給装置を提供することである。
【０００８】
本願考案の別の課題は、鼻孔カニューラに接続されたチューブの基端側を接続用スリーブを介して軽い力で酸素供給源に接続できるようにした酸素供給装置を提供することである。
【０００９】
本願考案のさらに別の課題は、鼻孔カニューラ側の接続用スリーブと酸素供給源側のコネクタとの着脱が容易で、軽微な力では抜けにくいものでありながら、その操作力が適度に小さく、さらに操作力にばらつきがないようにした酸素供給装置を提供することである。
【００１０】
本願考案の上記の課題および別の課題は、以下に述べる本願考案の技術的思想、およびその実施の形態によって明らかにされる。
【課題を解決するための手段】
【００１１】
本願の主要な考案は、酸素を酸素供給源からチューブおよび鼻孔カニューラを介して鼻孔内に供給するようにした酸素供給装置において、内周面に凹凸加工が施された接続用スリーブを介して前記チューブを前記酸素供給源に接続し、前記接続用スリーブの前記凹凸加工が施された部分を前記酸素供給源のコネクタに接続するようにしたことを特徴とする酸素供給装置に関するものである。
【００１２】
ここで、前記接続用スリーブの内周面の凹凸が２〜１００μｍの範囲のエンボス加工であってよい。
【００１３】
また、前記スリーブの内周面と前記コネクタの外周面との間であって、前記スリーブの先端から３０ｍｍまでの範囲にシリコーンなどの潤滑剤が介在するようにしてよい。
【考案の効果】
【００１４】
本願の主要な考案は、酸素を酸素供給源からチューブおよび鼻孔カニューラを介して鼻孔内に供給するようにした酸素供給装置において、内周面に凹凸加工が施された接続用スリーブを介してチューブを酸素供給源に接続し、接続用スリーブの凹凸加工が施された部分を酸素供給源のコネクタに接続するようにしたものである。
【００１５】
このような特徴ある酸素供給装置によると、接続用スリーブの内周面に施された凹凸加工によって、この接続用スリーブと酸素供給源のコネクタとの接続および取外しの操作力を小さな値に設定することが可能になるとともに、その操作力のばらつきを小さくできるようになり、とくに鼻孔カニューラ側のチューブと酸素供給源との間の着脱の操作性に優れた酸素供給装置が提供されることになる。
【図面の簡単な説明】
【００１６】
【図１】鼻孔カニューラを装着している状態を示す正面図である。
【図２】鼻孔カニューラの平面図（Ａ）および正面図（Ｂ）である。
【図３】酸素供給源を構成する酸素発生装置および酸素ボンベの斜視図である。
【図４】接続用スリーブと酸素供給源側のコネクタの縦断面図である。
【図５】接続用スリーブの伸縮を示す縦断面図（Ａ）と、この接続用スリーブをコネクタに接続した状態の縦断面図（Ｂ）である。
【図６】接続用スリーブを成形する金型の縦断面図である。
【図７】同金型の分解断面図である。
【図８】同金型の分解斜視図である。
【図９】接続用スリーブに施されるエンボス加工から成る凹凸加工を示す要部拡大平面図である。
【図１０】酸素供給源のコネクタに対してシリコーンが塗布された７つの接続用スリーブの着脱をそれぞれ複数回行って、任意の回数毎のそれぞれの引抜き力の値の分布を示すグラフである。
【図１１】シリコーンを塗っていない状態でエンボス加工が施された複数個の接続用スリーブおよびエンボス加工が施されていない複数個の接続用スリーブを酸素供給源のコネクタに接続したときの引抜き力の値の分布を示すグラフである。
【考案を実施するための形態】
【００１７】
以下本願考案を図示の実施の形態によって説明する。図１に示すように、本実施の形態の鼻孔カニューラ１１は、患者の顔面上であって、鼻の直ぐ下の部分に左右の方向に沿うように装着され、酸素供給源から鼻孔内に酸素を供給するのに用いられる。このような鼻孔カニューラは、気孔療法のための医療器具の一種であって、低酸素症の患者に対する酸素療法等に広く用いられる。
【００１８】
図２Ａ、Ｂに示されるように、この鼻孔カニューラ１１には、長さ方向の中央部１２と、この中央部１２の両側における一対の端部１３と、中央部１２における一対の突出部１４とが設けられている。中央部１２は中空であって扁平な角筒状をなし、端部１３および突出部１４が中空の円筒状をなしている。一対の突出部１４は、図２Ａに示されるように、扁平な角筒状の中央部１２の内の天面部分からこの天面部分に対して垂直に上方に突出している。端部１３の内部と中央部１２の内部とは互いに連通されており、中央部１２の内部と突出部１４の内部とも互いに連通している。
【００１９】
一対の突出部１４同士の間の部分で、突出部１４の軸心に対して軸心方向から見て、鼻孔カニューラ１１は、「へ」の字状になっている（図２Ａ参照）。また中央部１２のうちで上述の屈曲部と端部１３との間の部分とこの部分における突出部１４の軸心とを含む平面内で、中央部１２に対して端部１３が屈曲している（図２Ｂ参照）。鼻孔カニューラ１１は、可塑剤を添加したポリ塩化ビニールやスチレン系エラストマ等の軟質の透明または透明に近い半透明の合成樹脂または合成ゴムで成形されている。透明にすると目立たなくなる。またこの鼻孔カニューラ１１の外表面および内表面は、表面粗さが０．８程度の粗さになっている。
【００２０】
鼻孔カニューラ１１の一対の端部１３のそれぞれに円筒状チューブ１５の一方の端部が挿入固定され、一対のチューブ１５の端部は、図１に示すようにこのチューブ１５上を摺動可能なストッパリング１６でまとめられた状態で接続管１７に挿入固定されており、チューブ１８の他方の端部は接続用スリーブ２０を介して酸素発生装置２２等の酸素発生源に接続される。なお、円筒状チューブ１５は汎用品であり、円筒状のチューブ１５を挿入および固定することができるように、鼻孔カニューラ１１の一対の端部１３も同様に円筒状になっている。
【００２１】
次に上記のような鼻孔カニューラ１１に対して酸素を供給する酸素供給源について説明する。図３に示すように、酸素供給源としては酸素発生装置２２または酸素ボンベ２３が用いられる。酸素発生装置２２は、大気を構成する酸素と窒素の混合ガスから酸素を分離して発生させるためのものであって、内部に分離膜等の酸素発生機構が設けられている。またその上部には接続部２５が設けられ、この接続部２５には、その上部に調整ノブ２６が回転自在に取付けられるとともに、側部に必要に応じて流量計２７が接続されており、この流量計２７によって供給される酸素の流量が指示される。酸素の流量を適正にするために、調整ノブ２６によって調整が行なわれる。そして上記接続部２５の前端側にコネクタ３０が取付けられており、このコネクタ３０によって、上記鼻孔カニューラ１１のチューブ１８の基端部を、接続用スリーブ２０を介して酸素発生装置２２に接続するようにしている。
【００２２】
これに対して酸素ボンベ２３は、その上部に直方体状をなす接続ユニット２８が接続されており、この接続ユニット２８の上部に調整ノブ２６が設けられ、また接続ユニット２８の側面には、場合によっては供給される酸素の流量を指示する流量計２７が取付けられている。従って調整ノブ２６によって供給される酸素の流量を、流量計２７の指針を見ながら調整できるようになる。また接続ユニット２８の前端側には、コネクタ３０が設けられており、このコネクタ３０を、上記鼻孔カニューラ１１のチューブ１８の基端側の接続用スリーブ２０に接続し、これによって酸素ボンベ２３から鼻孔カニューラ１１に酸素を供給するようにしている。
【００２３】
低酸素症の患者に対する呼吸療法のために鼻孔カニューラ１１を用いる場合には、図１に示すように、一対の突出部１４を患者の鼻孔に挿入して、鼻孔カニューラ１１を鼻の下部に沿わせる。そして一対のチューブ１５を両耳に掛け、チューブ１５の上でストッパリング１６を摺動させることによってチューブ１５上におけるストッパリング１６の位置を調整する。この調整で頭部に対するチューブ１５の移動や揺動を防止することによって、顔面に対する鼻孔カニューラ１１の位置を固定する。
【００２４】
上述のように鼻孔カニューラ１１は「ヘ」の字状になっているので、患者への装着時に鼻孔カニューラ１１を容易に上顎に沿わせることができる。また、上述のように中央部１２に対して端部１３が屈曲しているので、この端部１３に挿入および固定されているチューブ１５を容易に耳の方向へ延在させることができる。このような装着状態で、酸素発生装置２２等で発生された酸素が、接続用スリーブ２０、チューブ１８、接続管１７、チューブ１５、鼻孔カニューラ１１の端部１３および中央部１２を介して、突出部１４から患者の鼻孔に供給され、酸素療法が行なわれる。
【００２５】
次に本願考案の特徴である、接続用スリーブ２０と酸素供給源のコネクタ３０との接続のための構成を説明する。図４は、上記接続用スリーブ２０とコネクタ３０とをそれぞれ示している。ここで接続用スリーブ２０は、軟質の合成樹脂あるいは合成ゴムによって成形されており、その一端側にチューブ挿入部３３が形成されている。チューブ挿入部３３はストレートな円形孔であって、その直径が例えば５．３ｍｍの値になっている。これに対して接続用スリーブ２０の反対側の部分には、コネクタ挿入部３４が形成されている。このコネクタ挿入部３４は、開口端側の方が大きく、奥が小さな値になっており、ここでは例えば開口端側が、６．５ｍｍの直径であって、末端側が４．０ｍｍの値に設定されている。またチューブ挿入部３３の深さが軸線方向に１５ｍｍの長さを有しているのに対し、コネクタ挿入部３３の軸線方向の長さは、３０ｍｍの値に設定されている。
【００２６】
またこの接続用スリーブ２０は、とくにコネクタ挿入部３４の内周面であって、少なくとも入口側の領域には、エンボス加工領域３５が形成されている。このエンボス加工領域３５は、後述する成形の際に、成形型の突部に形成された凹凸を反転させて形成されており、図９に示すように表面にエンボスが形成されている。なおここでは、エンボス形成領域３５の軸線方向の長さＡが、例えば３０ｍｍの値に設定されており、コネクタ挿入部３４の入口から３０ｍｍまでの深さの領域の内周面に、エンボス加工が施されている。なおコネクタ挿入部３４の内周面であって、その全長にエンボス加工を行なってもよい。
【００２７】
このような接続用スリーブ２０と接続されるコネクタ３０は、その中心部を貫通するように真直ぐな貫通孔３８が形成された筒体であって、例えば金属あるいは硬質の合成樹脂の成形体から構成される。そしてとくに接続用スリーブ２０が接続される外周面上には、断面が鋸歯状の複数の段差３９が形成されている。この段差３９が形成された長さＢの領域に、上記接続用スリーブ２０が接続される。従って、図５Ａに示すように、接続用スリーブ２０は、その先端側の部分を半径方向に拡大するようにしてコネクタ３０に接続されることになる。図５Ｂは、接続用スリーブ３０のコネクタ挿入部３４がコネクタ３０の長さＢの段差３９の外周部に接続された状態を示している。
【００２８】
図６〜図８は、上記のような接続用スリーブ２０の成形のための成形型を示しており、この成形型は、上型４５と、下型４６と、そして左右一対の割型４７、４８とから構成されている。ここで上型４５の下面には、下方に突出する円柱状突部４９が形成され、これに対して下型４６の上面には、その中央部に上方に突出する円錐台状突部５０が形成されている。
【００２９】
このような上型４５、下型４６、割型４７、４８を組立てると、図６に示す状態になり、とくに円柱状突部４９の下端部と円錐台状突部５０の上端部が互いに突合わされた状態でこれらの円柱状突部４９の外周部と円錐台状突部５０の外周部にそれぞれ割型４７、４８の凹部との間で隙間が生じ、この隙間が成形用のキャビティを形成する。従って図外のゲートを通してこのキャビティ内に溶融樹脂を射出することによって、接続用スリーブ２０を射出成形することが可能になる。
【００３０】
とくにこの金型の特徴は、下型４６の上面に突出するように設けられている円錐台状突部５０の外周面に、凹凸のエンボス加工のための凹凸が施されていることである。なお凹凸は、円錐台状突部５０の外周部の所定の領域のエッチング加工によって行なわれている。このようなエンボス加工によって、成形される接続用スリーブ２０のコネクタ３０に対する着脱の力を低減するとともに、そのばらつきを少なくすることが可能になるという顕著な特徴を有している。なお凹凸加工は、その凹凸形成面の中心線平均粗さが２〜３０μｍの範囲であることが好ましい。凹凸加工の中心線平均粗さが２μｍよりも小さいと、凹凸加工を施した効果が生じず、接続用スリーブ２０をコネクタ３０から引抜くときの力が大きくなる。これに対して、凹凸形成面の中心線平均粗さが１００μｍを超えると、接続用スリーブ２０とコネクタ３０との間から酸素が漏れ易くなる。なお本実施の形態においては、上記凹凸加工をエンボス加工によって施しており、例えば棚澤八光社のＴＨ６０１のエンボス加工によって構成しており、接続用スリーブ２０の着脱の容易性と安定性とを確保するようにしている。
【００３１】
本実施の形態のさらに別の特徴は、接続用スリーブ２０とコネクタ３０との接続に際し、両者の間であってコネクタ挿入部３４の入口から図４におけるＣの寸法の領域の内周面に、シリコーンを塗布することである。このようなシリコーンの塗布によって、接続用スリーブ２０をコネクタ３０から抜去るときの抜去力を低減するとともにその安定化を図ることが可能になる。図１０は、接続用スリーブ２０のとくにコネクタ挿入部３４にシリコーンを塗布したときの引抜き力の値を表とグラフで示している。
【００３２】
図１０は、酸素供給源のコネクタに対してシリコーンが塗布された７つ（サンプル番号１〜７）の接続用スリーブの着脱をそれぞれ複数回行って、任意の回数毎のそれぞれの引抜き力の値の分布を示したグラフである。接続用スリーブ２０のコネクタ挿入部３４の内周面にエンボス加工領域３５を設けるとともに、コネクタ挿入部３４にシリコーンを塗布することによって、引抜き力のばらつきが小さくなることが示されている。また図１０のグラフから明らかなように、その引抜き力の最大値も、５０Ｎよりも小さくなっており、ほぼ２０〜４０Ｎの間に値している。このことは、鼻孔カニューラ１１のチューブ１８の基端部が接続された接続用スリーブ２０を、酸素発生源のコネクタ３０から抜去する際の抜去力の最大値が小さくなるが、極めて小さくなることもなく、その抜去力のばらつきが安定することを示し、これによって操作性が優れ、酸素供給源に対する接続用スリーブ２０の着脱の容易性を著しく改善することが可能になる。
【００３３】
図１１は、同じ構成の接続用スリーブ２０とコネクタ３０であって、エンボス加工をしたものとしていないコネクタ３０をそれぞれ１０個用いて、シリコーンを塗布していない状態で引抜き力を測定したときの測定値のばらつきを示すグラフである。このグラフから明らかな如く、接続用スリーブ２０とコネクタ３０との接続部にシリコーンを塗布していない場合には、抜去力が著しく高くなり、エンボス加工をしていても、６０Ｎ以上の値になり、シリコーンを塗った場合の最低値のほぼ２倍以上の値になるとともに、抜去力を５０Ｎ以下にすることができないために、接続用スリーブ２０を酸素供給源のコネクタ３０から引抜く際に、大きく力を要することが示される。なお、このグラフからも、エンボス加工をすることで、抜去力のばらつきが小さくなるものと考えられる。
【００３４】
本願考案においては、接続用スリーブ２０のコネクタ挿入部３４の内周面にエンボス加工領域３５を設けるとともに、コネクタ挿入部３４にシリコーンを塗布すると、引抜き力を小さくするとともに、その安定化を図ることが可能になる。従って、鼻孔カニューラ１１のチューブ１８に接続された接続用スリーブ２０の着脱に際して、大きな負担が掛からず、患者であっても容易に自分で着脱を行なうことが可能になる。
【００３５】
以上本願考案を図示の実施の形態によって説明したが、本願考案は上記実施の形態によって限定されることなく、本願考案の技術的思想の範囲内において各種の変更が可能である。例えば接続用スリーブ２０やコネクタ３０の寸法、形状、あるいは材質等については、その目的に応じて各種の変更が可能である。
【産業上の利用可能性】
【００３６】
本願考案は、呼吸困難な患者あるいは低酸素症の患者に対する酸素供給装置に利用することが可能である。
【符号の説明】
【００３７】
１１  鼻孔カニューラ
１２  中央部
１３  端部
１４  突出部
１５  チューブ
１６  ストッパリング
１７  接続管
１８  チューブ
２０  接続用スリーブ
２２  酸素発生装置
２３  酸素ボンベ
２５  接続部
２６  調整ノブ
２７  流量計
２８  接続ユニット
３０  コネクタ
３３  チューブ挿入部
３４  コネクタ挿入部
３５  エンボス加工領域
３８  貫通孔
３９  段差
４０  フランジ
４５  上型
４６  下型
４７、４８  割型
４９  円柱状突部
５０  円錐台状突部
【図１】
0003157855.tif 000003
【図２】
0003157855.tif 000004
【図３】
0003157855.tif 000005
【図４】
0003157855.tif 000006
【図５】
0003157855.tif 000007
【図６】
0003157855.tif 000008
【図７】
0003157855.tif 000009
【図８】
0003157855.tif 000010
【図９】
0003157855.tif 000011
【図１０】
0003157855.tif 000012
【図１１】
0003157855.tif 000013